(57)【要約】【課題】弁体を弁座に対して中心軸回りに所定角度まで摺動回転させて前記弁孔を開閉するディスクバルブについて、弁体および弁座の摺動面から確実に水漏れを防止できるものとすることであり、特に洋式便器併設型局部洗浄装置における洗浄水の流路切替バルブに用いられるディスクバルブについて、同問題点を解決できるものとすることである。【解決手段】弁箱２内に、弁孔３ａ、３ｂ、３ｃ、３ｄ、３ｅを有する弁座３とディスク状の弁体４とをこれらの中心軸が合わさるよう重ね、弁体４を弁座３に対して中心軸の回りに所定角度まで摺動回転させて弁孔３ａ、３ｂ、３ｃ、３ｄ、３ｅを開閉するディスクバルブとし、弁体４の弁座３に対する摺動面４Ａおよび弁座３の弁体４に対する摺動面３Ａのうちいずれか一方の摺動面を滑らかな中高形状に設けると共に、他方の摺動面を前記中高な形状に整合する滑らかな中低な形状に設けたディスクバルブとする。【選択図】図１
2006052773.tif 000002
【特許請求の範囲】
【請求項１】
弁箱内に、弁孔を有する弁座とディスク状弁体とをこれらの中心軸が合わさるよう重ねて設け、前記弁体を弁座に対して中心軸回りに所定角度まで摺動回転させて前記弁孔を開閉するディスクバルブにおいて、
前記弁体の弁座に対する摺動面および弁座の弁体に対する摺動面のうちいずれか一方の摺動面を滑らかな中高形状に設けると共に、他方の摺動面を前記中高な形状に整合する滑らかな中低な形状に設けたことを特徴とするディスクバルブ。
【請求項２】
中高な形状の摺動面の高低差、または摺動面の中低な形状の高低差が３〜２０μｍである請求項１に記載のディスクバルブ。
【請求項３】
弁座および弁体が、合成樹脂製の弁座および弁体である請求項１または２に記載のディスクバルブ。
【請求項４】
ディスクバルブが、洋式便器併設型局部洗浄装置における洗浄水の流路切替バルブ用ディスクバルブである請求項１〜３のいずれかに記載のディスクバルブ。
【発明の詳細な説明】
【技術分野】
【０００１】
この発明は、ディスクバルブおよび洋式便器併設型局部洗浄装置における洗浄水の流路切替バルブ用ディスクバルブに関する。
【背景技術】
【０００２】
一般的な洋式便器併設型局部洗浄装置（図３参照。）には、便器の背側上部のハウジング１２内には洗浄水の流路切替バルブ（後述する実施形態の切替バルブ１の外形状と配置について同態様のもの。）が設置されており、このような洗浄装置は、例えば２つの独立して設けた伸縮自在なノズル機構６からそれぞれ適宜に洗浄水を噴出させる操作を迅速かつ確実に行なえるようディスクバルブを内蔵した切替バルブが内蔵されている（例えば特許文献１参照）。
【０００３】
このようなディスクバルブは、給水管に接続した弁孔を有する弁座（特許文献１では固定ディスクと別称される。）を有すると共に、これら弁座に対して摺動状態で回転動作する閉鎖部材であるディスク状弁体（特許文献１では回動ディスクと別称される。）を有し、水流調整のための流路切替（開閉）に用いられる。
【０００４】
また、家庭用の湯水混合水栓用ディスクバルブにおいても弁座と弁体の摺動面からの水漏れを確実に防止するための対策として、ディスクの摺動面の形状を可動ディスクおよび固定ディスクのうち、少なくとも一方について合成樹脂製弁体にすると共に滑らかな中高に形成することが知られている（特許文献２参照。）。
【０００５】
【特許文献１】特開平７−１１９１９６号公報（段落［００２０］〜［００２５］）
【特許文献２】実開平５−７９１３１号公報（請求項１）
【発明の開示】
【発明が解決しようとする課題】
【０００６】
しかし、上記した従来の洋式便器併設型局部洗浄装置における洗浄水の流路切替バルブに用いられるディスクバルブでは、弁体の僅かな回転角度の動作によって、確実に素早く流路を切り替え、または流量調整を行なう必要があるが、弁孔が数多く広い開口面積で形成されていて弁体と弁座のシール性を確実にするシール面積を充分に確保できないため、弁箱内に水漏れが起こりやすいという問題点がある。
【０００７】
また、湯水混合水栓のように合成樹脂製の弁体または弁座の一方または両方について滑らかな中高に形成し、弁体を弁座に対して中心軸回りに所定角度まで摺動回転させて前記弁孔を開閉する構造のディスクバルブにおいても弁箱内の水漏れを確実に防止することはできなかった。
【０００８】
そこで、この発明の課題は、上記した問題点を解決して、弁体を弁座に対して中心軸回りに所定角度まで摺動回転させて前記弁孔を開閉するディスクバルブについて、弁体と弁座の摺動面からの水漏れを確実に防止できるものにすることであり、特に洋式便器併設型局部洗浄装置における洗浄水の流路切替バルブに用いられるディスクバルブについて、上記問題点を解決できるものにすることである。
【課題を解決するための手段】
【０００９】
上記の課題を解決するために、この発明においては、弁箱内に、弁孔を有する弁座とディスク状弁体とをこれらの中心軸が合わさるよう重ねて設け、前記弁体を弁座に対して中心軸回りに所定角度まで摺動回転させて前記弁孔を開閉するディスクバルブにおいて、前記弁体の弁座に対する摺動面および弁座の弁体に対する摺動面のうちいずれか一方の摺動面を滑らかな中高形状に設けると共に、他方の摺動面を前記中高な形状に整合する滑らかな中低な形状に設けたことを特徴とするディスクバルブとしたのである。
【００１０】
上記したように構成されるこの発明のディスクバルブは、弁体および弁座の摺動面のうちいずれか一方の摺動面を滑らかな中高形状に形成すると共に、他方の摺動面を中高な形状に整合する滑らかな中低な形状に形成したので、弁体と弁座が整合した状態で密接する面積が摺動面を平面同士とした整合状態に比べて広くなり、その増加した密接面積によりディスクバルブのシール面積が充分に確保される。
【００１１】
また、中高な形状と中低な形状とを整合させると、中央部付近が確実に密接して回転中心になるから弁体を弁座に対して所定角度まで摺動回転させる際にも回転軸の位置が安定し、弁体と弁座の回転軸の周囲にシール性を低下させるような歪みが発生し難くなり、シール性は安定し、常に安定した水漏れ防止性が発揮できるディスクバルブになる。
【００１２】
このようなシール性に優れたディスクバルブにするためには、中高な形状の摺動面の高低差にするか、または摺動面の中低な形状の高低差が３〜２０μｍであるディスクバルブであることが好ましい。
【００１３】
摺動面の高低差が、３μｍ未満では、平滑面になりすぎて弁体と弁座の密着する面積が摺動面の平面同士の整合とほとんど変わらず好ましくない。また、摺動面の高低差が、２０μｍを超えると、弁体と弁座の回転軸の周囲に歪みが発生しやすくなり、シール性も安定して保存できなくなり好ましくない。
【００１４】
また、弁座および弁体が合成樹脂製のものである上記したディスクバルブは、弁座および弁体を所定の中高または中低な形状にする形成が比較的簡単で好ましいものである。
【００１５】
また、この発明のディスクバルブは、洋式便器併設型局部洗浄装置における洗浄水の流路切替バルブ用ディスクバルブに採用することもできる。このようなディスクバルブは、弁箱内に、弁孔を有する弁座とディスク状弁体とをこれらの中心軸が合わさるよう重ねて設けたものであり、中高・中低形状によって、弁体と弁座の回転軸の周囲にシール性を低下させるような歪みが発生し難くなり、シール性は安定し、常に安定した水漏れ防止性が発揮できるディスクバルブになる
【発明の効果】
【００１６】
この発明は、弁体を弁座に対して中心軸回りに所定角度まで摺動回転させて弁孔を開閉するディスクバルブについて、弁体の弁座に対する摺動面および弁座の弁体に対する摺動面のうちいずれか一方の摺動面を滑らかな中高形状に設けると共に、他方の摺動面を前記中高な形状に整合する滑らかな中低な形状に設けたので、弁座と弁体が整合して密接し、シール面積が増加すると共に摺動回転する際の回転軸の位置が安定するようになり、弁体および弁座の摺動面から確実に水漏れを防止できる。特に洋式便器併設型局部洗浄装置における洗浄水の流路切替バルブに用いられるディスクバルブについても、上記同様に弁体および弁座の摺動面から確実に水漏れを防止するという利点がある。
【００１７】
また、摺動面の中高な形状または中低な形状の高低差が３〜２０μｍであるものは、前記弁座と弁体のシール性および摺動の回転軸位置の安定性がより確実にとなり、弁体および弁座の摺動面からより確実に水漏れを防止できるという利点がある。
【発明を実施するための最良の形態】
【００１８】
この発明の実施形態を、以下に添付図面に基づいて説明する。
図１〜４に示すように、実施形態は、洋式便器Ａ（図３）の背面上部に取り付けられる切替バルブ１（図４）の弁箱２内に、弁孔３ａ、３ｂ、３ｃ、３ｄ、３ｅを有する弁座３とディスク状の弁体４とをこれらの中心軸が合わさるよう重ね合わされ（図４および図１ｂ）、弁体４を弁座３に対して中心軸の回りに所定角度まで摺動回転させて弁孔３ａ、３ｂ、３ｃ、３ｄ、３ｅを開閉するディスクバルブとし、弁体４の弁座３に対する摺動面４Ａ（図２ｂ）および弁座３の弁体４に対する摺動面３Ａ（図１ａ）のうちいずれか一方の摺動面を滑らかな中高形状に設けると共に、他方の摺動面を前記の中高な形状に整合する滑らかな中低な形状に設けたディスクバルブである。
【００１９】
図４に示すように、切替バルブ１は、洗浄用水が給水される給水管部５が中央に接続され、ノズル機構６（図３）内のシリンダ（図示せず。）へ洗浄水を導入する洗浄水管７および水圧調整のための排水管８を適宜に適当な管径で接続する機能を有している。
【００２０】
図１および図４に示すように、弁座３には給水管部５に通じる弁孔３ｂの他、水流調整用溝３ｅ1の一端部に形成された第１のノズルヘ通じる通孔３ｅ、水流調整用溝３ｄ1の一端部に形成された第２のノズルヘ通じる通孔３ｄ、排水管８に通じるよう水流調整用溝３ｃ1中ほどに配置形成された弁孔３ｃが形成されている。
【００２１】
弁体４には、半径方向に延びる第１の連通孔４ａと、周回方向に延びる第２の連通孔４ｂが形成されている。
【００２２】
切替バルブ１内には、これら弁座３が弾性シール部品９を介して水密に取り付けられていると共に、弁座３の滑らかで中低な形状の摺動面３Ａを弁体４に向けて配置し（図１ｂ）、弁体４は滑らかな中高形状の摺動面４Ａを弁座３に向け、弁孔３ｂの中心を回転軸としている。
【００２３】
図４に示すように、弁体４は、回転中心軸にステッピングモータ１０の回転軸１１が接続されており、使用者の洗浄指令ボタンの操作に応じ、弁体４を弁座３に対して中心軸の回りに任意角度に回転するよう操作できる。
【実施例】
【００２４】
［実施例１、比較例１〜３］
図１、２に示す弁座と弁体をポリフェニレンサルファイド樹脂（ＰＰＳ樹脂）組成物を用いて射出成形により弁座と弁体を成形し、それらの摺動面は、ラップ加工により研磨して、弁座（固定ディスクとも別称する。）と弁体（可動ディスクとも別称する。）の摺動面を、それらの中央部が周縁部に比べて７μｍ凹んだ中低形状にするか、または中央部が周縁部に比べて７μｍ高い凸型の中高形状もしくは平坦面に形成した。
【００２５】
このように研磨された弁座と弁体を実機（洋式便器併設型局部洗浄装置＜いわゆるシャワー式トイレ＞における洗浄水の流路切替バルブ）に取り付け、以下の条件で水漏れ試験を行ない、結果を表1に示した。
【００２６】
［水漏れ試験］
所定の摺動面に形成した弁体および弁座を組み込んだ流路切替バルブ（試験体３組または４組）を用いて、おしり洗浄の弱および強、ビデ洗浄の弱および強の条件で１分間洗浄動作させた後に、ノズル収容管からの水漏れを３０秒間肉眼で観察し、「水漏れなし（○印）」、「少し水漏れする（△印）」、「多量に水漏れする（×印）」の３段階に評価した。
【００２７】
【表１】
2006052773.tif 000003
【００２８】
表１に示した結果からも明らかなように、弁座摺動面および弁体摺動面をいずれも平坦面とした比較例１は、9/12（試験回数）の場合に少し水漏れする状態であり、弁座摺動面および弁体摺動面をいずれも凸面とした比較例２は、10/12（試験回数）の場合に多量に水漏れする状態であり、弁座摺動面を平坦面とし、かつ弁体摺動面を凸面とした比較例３は、7/12（試験回数）の場合に多量に水漏れした。
【００２９】
これに対して、弁座摺動面を凹面とし、かつ弁体摺動面を凸面とした実施例１は、14/16（試験回数）の場合に水漏れなしの状態であり、弁体および弁座の摺動面から極めて高い確率で水漏れを防止できるものであると認められた。
【図面の簡単な説明】
【００３０】
【図１】（ａ）弁座の摺動面を示す平面図、（ｂ）弁座の直径方向の断面図
【図２】（ａ）弁体の摺動面を示す平面図、（ｂ）弁体の直径方向の断面図
【図３】洋式便器併設型局部洗浄装置の設置状態を示す洋式便器の要部断面図
【図４】流路切替バルブの一部断面正面図
【符号の説明】
【００３１】
１  切替バルブ
２  弁箱
３  弁座
３ａ、３ｂ、３ｃ、３ｄ、３ｅ  弁孔
４  弁体
３Ａ、４Ａ  摺動面
４ａ、４ｂ  連通孔
５  給水管部
６  ノズル機構
７  洗浄水管
８  排水管
９  弾性シール部品
１０  ステッピングモータ
１１  回転軸
１２  ハウジング
Ａ  洋式便器
【図１】
2006052773.tif 000004
【図２】
2006052773.tif 000005
【図３】
2006052773.tif 000006
【図４】
2006052773.tif 000007